(57)【要約】【課題】  本発明は、建物外周の布基礎部分で断熱することにより１階床下空間を断熱空間とした建物において、１階床部に適度な断熱性を有する蓄熱層を形成することにより暖房機器の間欠運転を行う場合に発生する問題を解決し、暖房機器起動時の速やかな暖房の立ち上げと、暖房機器停止後の暖房効果の持続を図ることが出来る建物、及び床暖房を行う際の不快感を解消することが出来る建物を提供することを可能にすることを目的としている。【解決手段】  建物外周の鉄筋コンクリート布基礎１の地表からの露出部分で断熱して断熱空間とした１階床下空間３を有すると共に、鉄筋補強された軽量気泡コンクリートパネル６からなる蓄熱層と、該蓄熱層の上層に床仕上げ材８を含む１階床部９と、を有することを特徴とする。【選択図】      図１
2007107334.tif 000002
【特許請求の範囲】
【請求項１】
建物外周の鉄筋コンクリート布基礎の地表からの露出部分で断熱して断熱空間とした１階床下空間を有すると共に、鉄筋補強された軽量気泡コンクリートパネルからなる蓄熱層と、該蓄熱層の上層に床仕上げ材を含む１階床部と、を有することを特徴とする建物。
【請求項２】
床暖房システムを有し、１階床面に床暖房放熱パネルを敷設したことを特徴とする請求項１に記載の建物。
【請求項３】
前記床暖房放熱パネルを冷気流の当る１階床面に局所的に敷設し、該床暖房放熱パネルにより居住者が長時間接触しない１階床面を加熱することを特徴とする請求項２に記載の建物。
【発明の詳細な説明】
【技術分野】
【０００１】
本発明は、建物外周の布基礎部分で断熱することにより１階床下空間を断熱空間とした建物に関するものである。
【背景技術】
【０００２】
住宅等の建物において、暖房を必要とする冬季に床からの熱の損失を抑制することを目的として基礎断熱が行われている。基礎断熱は建物外周部の布基礎の床下換気口を排除したり基礎立ち上がり部に断熱材を貼付する等して１階床下空間を他の室内空間と同様に断熱された空間とするものであり、１階床面に断熱境界を形成する床断熱に比べて直接外気に接触する領域が小さいので外気の影響を受け難く、温度や湿度の変化が穏やかに推移するため居住性や省エネルギー性や耐久性の点で優れている。
【０００３】
また、基礎断熱は外気の影響を受け難く１年を通じて温度変化の少ない地盤を断熱層、蓄熱層として活用出来るため床断熱のように床面全体を断熱しなくとも断熱境界を形成することが出来るというメリットを有する。
【０００４】
更には、床断熱は断熱材を載置、吊下げ、根太間への挟み込み等により床に配置する際の下地材となる床面や根太等が予め必要で施工がし難く、根太や床パネル支持用の梁等によって断熱材が分断されたり狭い床下空間での施工の際の不手際によって隙間が生じる等して熱の流出部も形成され易いのに対し、基礎断熱は断熱材を基礎工事完了後の障害のない状態で強固な鉄筋コンクリート造の基礎を下地として隙間なく貼着することが出来るので手間がかからず熱の流出部も生じ難いというメリットも有する。
【０００５】
断熱基礎とした場合の１階床の構成は、例えば特許文献１に開示されているように、合板等の比較的薄く断熱性や蓄熱性が低い床下地の上にフローリング材等の床仕上げ材を敷設するのが一般である。
【０００６】
【特許文献１】特開平１０−２６６３７３号公報
【発明の開示】
【発明が解決しようとする課題】
【０００７】
北海道等の寒冷地においては冬季は連続的に全館で暖房が行われ、基礎断熱を施した建物では冬季の居住性を高める為床下空間にも室内の暖められた空気を供給する等して暖房するのが一般的である。従って、床下空間は室内と同等の温度に保たれるので床材には断熱性は必要ではない。また、床下に熱を投入し床下の暖められた空気を建物内に循環させて暖房することもあり、このとき、断熱性の低い床材の方が暖かさを享受し易く好ましい。そしていずれの場合においても常に熱が供給されるので床材に蓄熱性を求める必要はない。よって冬季に連続的に全館暖房を行う場合は特許文献１に開示されている床構成で問題はない。
【０００８】
一方、東京や大阪等の比較的温暖な地方においては就寝時や不在時に暖房機器の運転を停止する間欠運転を行うのが一般的である。この場合、特許文献１に開示されているような断熱性の低い床構成であると、運転を停止し床下空間の温度が低下した後に暖房機器を再起動すると、起動の初期には床下の空間側に移動する熱の割合が大きく床面が温まりにくいという問題がある。また基礎断熱の場合、基礎コンクリートを蓄熱層とするのが一般的であるが、間欠運転を行った場合、基礎コンクリートは床暖房パネルや空調機の温風吹き出し口から遠いために温まり難く蓄熱層として機能し難く、蓄られたとしても居室空間から離れた場所で放熱されるので暖房停止後に居住者が暖かさを享受し難いという問題もある。
【０００９】
前述の問題を解決するための手段として過剰な断熱性を有する材料を床面に配設すると、暖房運転開始時の床面温度の温まり難さの問題は解決するものの、床下空間への熱の移動量が減って床下の基礎コンクリートでの蓄熱が更に行われ難くなる。そして、蓄熱されない熱は空気中に拡散して暖房運転中は暖かさが増すものの暖房停止とともに室温や床面の温度は低下し、蓄熱部からの放熱も期待出来ないので暖房停止後はかえって室温や床面の温度が低下してしまうことになる。また、広範囲に渡って２重に断熱境界を形成することになり非合理的である。
【００１０】
また、北海道等の寒冷地においては、近年、建物の断熱の強化により床暖房に対する不満の声が聞かれる。断熱の強化により壁面等の温度が上昇し、室温が低くても快適感が得られるようになったにも拘らず、床面からの熱の過剰な供給があり、更に床面からの熱の供給により不要な上昇気流が生じ、不快に感じるという問題がある。
【００１１】
本発明は前記課題を解決するものであり、その目的とするところは、建物外周の布基礎部分で断熱することにより１階床下空間を断熱空間とした建物において、１階床部に適度な断熱性を有する蓄熱層を形成することにより暖房機器の間欠運転を行う場合に発生する問題を解決し、暖房機器起動時の速やかな暖房の立ち上げと、暖房機器停止後の暖房効果の持続を図ることが出来る建物、及び床暖房を行う際の不快感を解消することが出来る建物を提供せんとするものである。
【課題を解決するための手段】
【００１２】
前記目的を達成するための本発明に係る建物の第１の構成は、建物外周の鉄筋コンクリート布基礎の地表からの露出部分で断熱して断熱空間とした１階床下空間を有するすると共に、鉄筋補強された軽量気泡コンクリートパネルからなる蓄熱層と、該蓄熱層の上層に床仕上げ材とを含む１階床部とを有することを特徴とする。
【００１３】
また、本発明に係る建物の第２の構成は、前記第１の構成において、床暖房システムを有し、１階床面に床暖房放熱パネルを敷設したことを特徴とする。
【００１４】
また、本発明に係る建物の第３の構成は、前記第２の構成において、前記床暖房放熱パネルを冷気流の当る１階床面に局所的に敷設し、該床暖房放熱パネルにより居住者が長時間接触しない１階床面を加熱することを特徴とする。
【発明の効果】
【００１５】
本発明に係る建物の第１の構成によれば、鉄筋補強された軽量気泡コンクリート（ＡＬＣ）パネルは、暖房機器の運転時は蓄熱するとともに余剰の熱の床下空間への供給を行って断熱空間である床下空間の温度を維持し、運転を停止した後は断熱され温度を維持しやすい床下空間よりも低温となる室内（床面上方）に向かって徐々に熱を放出することにより暖房効果の持続を図ることが出来る。また、ＡＬＣパネルと床仕上げ材との組み合わせによる適度な熱貫流率によって暖房機器起動時の遅滞ない暖房立ち上げを実現することが出来る。また、放熱が床面で行われるので足の裏からの伝導や床面からの輻射によって居住者が暖かさを享受することが出来る。
【００１６】
また、本発明に係る建物の第２の構成によれば、床暖房システムを導入し、１階床面に床暖房放熱パネルを敷設することにより、１階床部の蓄熱層への熱の移動が効率的に行われ、間欠運転を行う場合の蓄熱効果を更に高めることが出来る。更に、例えば、床暖房放熱パネルの温水循環パイプ等の配管を断熱被覆をせずに露出状態で断熱空間（断熱境界の内側）である１階床下空間に敷設することで建物外周の布基礎部分で断熱された１階床下空間の温度維持に寄与出来、床暖房放熱パネルの敷設されていない部屋の暖房効果も期待出来る。
【００１７】
また、本発明に係る建物の第３の構成によれば、床暖房放熱パネルを居住者が主に生活する居室の中央部には敷設せず、窓や外壁に沿って、或いは階段下等の上階から冷気が降下する所定の場所に敷設することで、居住者に過剰な熱を与えることが無く、また上階から降下する冷気流を加熱することが出来るので居住者が長く滞在する居室の中央部等の場所で不快な気流を感じることがない。
【発明を実施するための最良の形態】
【００１８】
床部の熱貫流率は、間欠暖房開始時の床面の温まり易さと床下空間の暖まり易さに影響する。床面の温まり易さを重視するなら床部の熱貫流率を小さくすることが有効である。逆に床下空間の温まり易さを重視するのであれば床部の熱貫流率は大きくすべきである。
【００１９】
本発明の出願人は、確認試験等により、ＡＬＣパネルと床仕上げ材との組みあわせにより床部の熱貫流率を０．９Ｗ／ｍ２Ｋから１.３Ｗ／ｍ２Ｋに設定した場合、床下空間の温度上昇と室内床面温度の温度上昇が両立出来ることを確認した。
【００２０】
また、熱貫流率は床面や床下空間の暖房開始時の暖まり易さ、暖房停止後の冷め難さにも影響する。一般的に熱貫流率は熱容量と負の相関関係にある。床部の熱貫流率を大きくすると熱容量が大きくなり、暖房開始時の床面の温度上昇は遅くなってしまうが、暖房停止後の温度低下を緩やかにすることが出来る。逆に床部の熱貫流率を小さくすると熱容量が小さくなり、暖房開始時の温度上昇は早くなるものの、暖房停止後の温度低下も早まってしまう。
【００２１】
本発明の出願人は、上記床構成により床部の熱貫流率を０.９Ｗ／ｍ２Ｋから１.３Ｗ／ｍ２Ｋに設定した場合、床面の熱容量はおよそ４０ｋＪ／ｍ２Ｋ〜９０ｋＪ／ｍ２Ｋの範囲となり、暖房開始時には遅滞なく床面の温度が上昇し、尚かつ就寝時の暖房停止後から翌朝の暖房再開まで、徐々に熱を放出し暖房効果を維持することが出来ることも確認した。
【００２２】
図により本発明に係る建物の一実施形態を具体的に説明する。
【実施例１】
【００２３】
先ず、図１を用いて本発明に係る建物の第１実施形態について説明する。図１は本発明に係る建物の第１実施形態の構成を示す断面説明図、図２は本発明に係る建物の第１実施形態においてエアコン暖房運転による蓄熱層の蓄熱効果を説明する図である。
【００２４】
図１において、建物の外周部の基礎は鉄筋コンクリートからなる布基礎１で構成されている。布基礎１の立ち上がり部の地表からの露出部分の内面には厚さ８０mmの押出しポリスチレンフォームからなる断熱材２が配置されており、該布基礎１部分で断熱することにより１階床下空間３が断熱空間として構成される。１階床下空間３の地盤面４には防湿コンクリート５が打設されている。尚、建物の外周部の布基礎１には換気口は設けないか、設けたとしても暖房機器を運転する冬季は遮蔽可能な構造とすることが必要である。
【００２５】
布基礎１の上面或いは図示しない鋼製梁の上面には厚さが１００mmの鉄筋補強された軽量気泡コンクリートパネル（以下、「ＡＬＣパネル」という）６が載置して支持され、蓄熱層とされる。蓄熱層となるＡＬＣパネル６の上面（上層）には下地調整材（モルタル１２mm）７及び床仕上げ材（寄木合板９mmとクッション材としてのポリエチレンフォーム２mmからなる直貼フローリング材）８が順次載置されて１階床部９が構成されている。図中、10は外壁である。
【００２６】
上記構成の１階床部９の熱貫流率は、およそ１.０Ｗ/ｍ２Ｋとなる。尚、モルタルは１階床部９の他の構成材料に比べて熱貫流率が大きく１階床部９全体の熱貫流率に大きな影響を与えるものではない。
【００２７】
厚さ１００mmのＡＬＣパネル６と厚さ１２mmのモルタルとで構成された１階床部９では７７.６ｋＪ/ｍ２Ｋの熱容量が得られる。これに寄木合板等の床仕上げ材８の熱容量を加算するとは１階床部９全体での熱容量はおよそ８２ｋＪ/ｍ２Ｋとなる。
【００２８】
尚、上記の熱貫流率及び熱容量は、住宅の床仕上げ材８として一般に広く流通している厚さ１０mm前後の寄木合板（クッション材を貼着した寄木合板も含む）であれば大きく変動することはない。
【００２９】
＜実験＞
上記構成の建物の室内にヒートポンプ式のエアーコンディショナー（以下、「エアコン」という）を設置して毎日１８時から２４時の間のみエアコンを暖房運転する、という間欠運転を繰り返し、その間の外気温度ａ、１階床面温度ｂ、１階床下空間温度ｃ、１階室内温度ｄ及び地中温度ｅを測定した結果を図２に示す。尚、エアコンの設定温度は２３℃であり、外気温度ａは−４℃から＋８℃の範囲で推移した。
【００３０】
図２に示すグラフから明らかなように、実験期間中、１階床下空間３の温度ｃは１２℃前後を安定して維持した。これはＡＬＣパネル６を介して１階床下空間３に熱が供給され、この熱が断熱材２により断熱された布基礎１と年間を通じて温度変化の少ない地盤によって維持されたことを意味している。
【００３１】
また、エアコンの運転停止後の１階床面温度ｂの低下度合いは１階室内温度ｄの低下度合いより小さく、常に１階床面温度ｂが１階室内温度ｄよりも高い温度を維持した。これは、断熱空間である１階床下空間３の温度ｃが１階室内温度ｄよりも高く維持されるとともに、蓄熱層として機能したＡＬＣパネル６に蓄えられた熱が室内側に放出されたことを意味している。
【００３２】
更に、エアコンの運転開始直後の１階床面温度ｂの上昇度合いも１階室内温度ｄの上昇度合いにほぼ等しく、温度上昇の遅延は見られなかった。これは、ＡＬＣパネル６と床仕上げ材８からなる１階床部９の構成により蓄熱層であるＡＬＣパネル６への熱の移動を行いつつも、適度な断熱性により床面表面部に熱を留めることが出来たことを意味している。尚、図２に示す２００４年１２月１１日及び１２日における昼間の１階床面温度ｂと１階室内温度ｄの上昇は開口部（窓）からの日射の影響によるものである。
【００３３】
＜比較実験＞
上記第１の実施形態におけるモルタルを、厚さ12mm、熱抵抗値０．６ｍ２Ｋ／Ｗのフェノールフォームからなる断熱材に置き換えて１階床部９の熱貫流率をおよそ０.７Ｗ/ｍ２Ｋとして同様の実験を行ったところ、１階床下空間３の温度ｃは９℃前後に留まった。また、エアコンの運転停止後の１階床面温度ｂの低下度合いは１階室内温度ｄの低下度合いにほぼ等しくなり、１階床面温度ｂは１階室内温度ｄとほぼ同じ値となった。
【００３４】
これは、断熱材により１階床下空間３への熱の移動が制限されて１階床下空間３の暖まりかたが弱まり温度が低下したものと判断出来る。また、ＡＬＣパネル６への蓄熱量も減少してエアコンの運転停止後にＡＬＣパネル６からの室内側への放熱が減少した為、１階床面温度ｂが１階室内温度ｄの低下に追従して低下したものと判断出来る。また、断熱材で１階床下空間３への移動を抑制された熱は室内に拡散し室内空間に蓄えられることなく窓面等から室外に放出されたものと思われる。
【００３５】
上記構成によれば、鉄筋補強されたＡＬＣパネル６は、暖房機器の運転時は蓄熱するとともに余剰の熱を１階床下空間３へ供給して断熱空間である１階床下空間３の温度ｃを維持し、エアコンの運転を停止した後は断熱され温度を維持し易い１階床下空間３よりも低温となる室内（床面上方）に向かって徐々に熱を放出することにより暖房効果の持続を図ることが出来る。また、ＡＬＣパネル６と床仕上げ材８とを組み合わせたことによる適度な熱貫流率によって暖房機器起動時の遅滞ない暖房立ち上げを実現することが出来る。また、放熱が床面で行われるので足の裏からの伝導や床面からの輻射によって居住者が暖かさを享受することが出来る。
【００３６】
尚、上記第１の実施形態では、建物外周部の布基礎１の立ち上がり部の内面に断熱材２を配置してあるが、断熱材２は立ち上がり部の外面に配置しても構わない。断熱材２を外面に配置することによって断熱材２の破損や劣化を防ぐための処置が必要になるが、外周部の布基礎１と他の布基礎が交わる部分において断熱材２の連続性が損なわれることがないという点では優れている。
【実施例２】
【００３７】
次に、図３を用いて本発明に係る建物の第２実施形態について説明する。図３は本発明に係る建物の第２実施形態の構成を示す断面説明図である。尚、前記第１実施形態と同様に構成したものは同一の符号を付して説明を省略する。
【００３８】
本実施形態では、図３に示すように、第１実施形態に温水循環式の床暖房システムを付加したものであり、ＡＬＣパネル６の上面にモルタルに替えて床暖房放熱パネル11が載置され、該床暖房放熱パネル11の上面に床仕上げ材８が載置されて１階床部９が構成されている。そして、室外には図示しないボイラーが設置され、床暖房放熱パネル11とボイラーとは１階床下空間３に配設された図示しない温水循環パイプによって結ばれ、ボイラーから床暖房放熱パネル11に温水が供給される。尚、床暖房システムは温水循環式に限定されるものではなく、電気式等の床暖房システムであってもよい。
【００３９】
上記構成により、床暖房システムを導入し、１階床面に床暖房放熱パネル11を敷設することにより、床暖房放熱パネル11から１階床部９の蓄熱層であるＡＬＣパネル６への熱の移動が直接的に効率良く行われ、蓄熱効果を更に高めることが出来る。
【００４０】
また、本実施形態のように床暖房システムが温水循環式の場合、床暖房放熱パネル11の温水循環パイプ等の配管を断熱被覆をせずに露出状態で断熱空間（断熱境界の内側）である１階床下空間３に敷設することで建物外周の布基礎１部分で断熱された１階床下空間３の温度維持に寄与出来、床暖房放熱パネル11の敷設されていない部屋の暖房効果も期待出来る。他の構成は前記第１実施形態と同様に構成して同様の効果を得ることが出来る。
【実施例３】
【００４１】
次に、図４を用いて本発明に係る建物の第３実施形態について説明する。図４は本発明に係る建物の第３実施形態の構成を示す平面説明図である。尚、前記各実施形態と同様に構成したものは同一の符号を付して説明を省略する。
【００４２】
本実施形態では、図４に示すように、床暖房放熱パネル11を、冷気流が当たり、かつ居住者が長時間接触しない１階床面に局所的に敷設し、加熱するように構成したものである。本実施形態では１階の開口部（窓）12の近傍、外部に面する壁の近傍、及び１階床面と、上階へ至る階段13の昇り口近傍の１階床面に局所的に床暖房放熱パネル11を敷設して、居住者が長時間留まらない居室の周辺部の１階床面のみを加熱し居住者が主に生活する居室の中央部14の1階床面は加熱しないように構成している。
【００４３】
上記構成により、床暖房放熱パネル11を居住者が主に生活する居室の中央部14には敷設せず、外気の影響により温度が低下し冷気が下降しやすい窓や外壁に沿って、或いは階段下等の上階から冷気が降下し易い場所に敷設することで、居住者に過剰な熱を与えることがない。また上方から降下する冷気流を加熱することが出来るので居住者が長く滞在する居室の中央部14等の場所で不快な気流を感じることがない。他の構成は前記各実施形態と同様に構成して同様の効果を得ることが出来る。
【産業上の利用可能性】
【００４４】
本発明の活用例として、建物外周の布基礎部分で断熱することにより１階床下空間を断熱空間とした建物に適用することが出来る。
【図面の簡単な説明】
【００４５】
【図１】本発明に係る建物の第１実施形態の構成を示す断面説明図である。
【図２】本発明に係る建物の第１実施形態においてエアコン暖房運転による蓄熱層の蓄熱効果を説明する図である。
【図３】本発明に係る建物の第２実施形態の構成を示す断面説明図である。
【図４】本発明に係る建物の第３実施形態の構成を示す平面説明図である。
【符号の説明】
【００４６】
１…布基礎
２…断熱材
３…１階床下空間
４…地盤面
５…防湿コンクリート
６…ＡＬＣパネル
７…下地調整材
８…床仕上げ材
９…１階床部
10…外壁
11…床暖房放熱パネル
12…窓開口部
13…階段
14…居室の中央部
【図１】
2007107334.tif 000003
【図２】
2007107334.tif 000004
【図３】
2007107334.tif 000005
【図４】
2007107334.tif 000006